【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
コンピュータ実施方法であって、
タッチスクリーンディスプレイを有するデバイスにおいて、
１つ以上の一連のアイテムをリスト内に表示することと、
前記タッチスクリーンディスプレイ上でのオブジェクトの移動を検出することと、
前記移動の検出に応じて、表示された前記１つ以上のアイテムを第１の方向に移動することと、
前記リストの末端に到達した後も前記タッチスクリーンディスプレイ上での前記オブジェクトの移動の検出が継続していることに応じて、前記リストの前記末端に到達したことの通知を表示することと、
前記オブジェクトが前記タッチスクリーンディスプレイともはや接触していないことの検出に応じて、前記通知の表示を停止することと
を含むコンピュータ実施方法。
【請求項２】
前記オブジェクトが前記タッチスクリーンディスプレイともはや接触していないことの検出に応じて、前記１つ以上のアイテムを第２の方向に移動することを含む、請求項１に記載のコンピュータ実施方法。
【請求項３】
前記通知を表示することは、前記１つ以上のアイテムとは視覚的に区別できる着色された通知を表示することを含む、請求項１または２に記載のコンピュータ実施方法。
【請求項４】
前記オブジェクトの移動の方向は、前記第１の方向における前記１つ以上のアイテムの前記移動に対応する、請求項１から３のいずれか１項に記載のコンピュータ実施方法。
【請求項５】
前記オブジェクトは指である、請求項１から４のいずれか１項に記載のコンピュータ実施方法。
【請求項６】
前記第１の方向は、垂直方向、又は、水平方向である、請求項１から５のいずれか１項に記載のコンピュータ実施方法。
【請求項７】
前記第２の方向は前記第１の方向と逆である、請求項２、又は、請求項２に従属する請求項３から６のいずれか１項に記載のコンピュータ実施方法。
【請求項８】
前記リストの前記末端に到達するまでに前記第１の方向に移動することは、前記オブジェクトの移動速度に対応する関連移動速度を有する、請求項１から７のいずれか１項に記載のコンピュータ実施方法。
【請求項９】
前記第１の方向に移動することは、摩擦を有する運動の方程式のシミュレーションに従う、請求項１から８のいずれか１項に記載のコンピュータ実施方法。
【請求項１０】
前記第２の方向に前記１つ以上のアイテムを移動することは、減衰運動である、請求項２、又は、請求項２に従属する請求項３から９のいずれか１項に記載のコンピュータ実施方法。
【請求項１１】
前記通知を表示することは、前記リストの前記末端を超えるエリアを表示することを含む、請求項１から１０のいずれか１項に記載のコンピュータ実施方法。
【請求項１２】
前記リストの前記末端を越える前記エリアは、ブラック、グレー、ソリッドカラー又はホワイトである、請求項１１に記載のコンピュータ実施方法。
【請求項１３】
前記第１の方向に移動することから、前記第２の方向に移動することへの変更は、前記リストの末端が、前記タッチスクリーンディスプレイの縁又は前記タッチスクリーンディスプレイに表示される縁に弾性的に取り付けられているような表示により行う、請求項２、又は、請求項２に従属する請求項３から１２のいずれか１項に記載のコンピュータ実施方法。
【請求項１４】
前記リストの前記末端に到達したことの前記通知は、前記リストの前記末端に到達した後も前記タッチスクリーンディスプレイ上における前記オブジェクトの移動が検出され続けていることの通知である、請求項１から１３のいずれか１項に記載のコンピュータ実施方法。
【請求項１５】
タッチスクリーンディスプレイを有する電子デバイスに、請求項１から１４のいずれか１項に記載の方法を実行させるための命令群を含む、コンピュータプログラム。
【請求項１６】
電子デバイスであって、
タッチスクリーンディスプレイと、
１以上のプロセッサと
命令群を含む１以上のコンピュータプログラムを記憶するメモリと、
を備え、
前記１以上のプロセッサは、前記１以上のコンピュータプログラムに含まれる前記命令群を実行することにより、前記電子デバイスに請求項１から１４のいずれか１項に記載の方法を実行させる、電子デバイス。
【請求項１７】
タッチスクリーンディスプレイと、
請求項１から１４のいずれか１項に記載の方法を実行する手段と
を備える電子デバイス。
【手続補正２】
【補正対象書類名】明細書
【補正対象項目名】００９６
【補正方法】変更
【補正の内容】
【００９６】
上述したように、ＵＩ４００は、全ての利用可能なアプリケーション１３６を１つのスクリーン上に表示して、アプリケーションのリストをスクロールする必要がないようにする。しかしながら、ある実施形態では、タッチ感知ディスプレイは、アイテム（例えば、情報アイテム）のリスト又は電子ドキュメントの一部分しか表示しない１つ以上のウインドウを伴うＧＵＩを含むことができる。タッチ感知ディスプレイ又はその付近でのオブジェクトの移動を検出するのに応答して、リストをスクロールするか、又は電子ドキュメントを並進移動することができる。オブジェクトの移動を検出することは、オブジェクトのスピード（大きさ）、速度（大きさ及び方向）、及び／又は加速度（大きさ及び／又は方向を含む）を決定することを含む。リストをスクロールすること又はドキュメントを並進移動するは、オブジェクトの加速移動に応答して加速することができる。ある実施形態では、スクロール及びスクロールの加速度、或いは並進移動及び並進移動の加速度は、摩擦即ち減衰運動をもつ物理的装置のシミュレーションに基づく。例えば、スクロール又は並進移動は、質量又は慣性項及び消散項を有する運動方程式又は力の法則のシミュレーションに対応する。ある実施形態では、シミュレーションは、円筒がその軸の周りで回転することに対応する。
【手続補正３】
【補正対象書類名】明細書
【補正対象項目名】０１００
【補正方法】変更
【補正の内容】
【０１００】
スクロール又は並進移動の方向は、リストの末端又は電子ドキュメントの縁に対応するバーチャル境界に交差するのに応答して逆転することができる。スクロールの逆転或いは並進移動の逆転は、減衰運動に対応する。例えば、スクロール中に、アイテムのリストの表示部分は、アイテムのリストの始め又は終わりに到達したときに、タッチ感知ディスプレイのウインドウの境界で跳ね返るように見える。同様に、並進移動中に、電子ドキュメントの表示部分は、ドキュメントの縁に到達したときに、タッチ感知ディスプレイのウインドウの境界で跳ね返るように見える。この見掛け上の跳ね返りは、第１方向にモーメントを有する粘着性又は弾力性のボールが不動の及び／又は非弾力性の物体、例えば、壁に当たることのシミュレーションに対応する。ドキュメントのその後の運動（その運動は、前記類似におけるボールに対応する）は、例えば、そのシミュレーションに摩擦又は消散項を含ませることにより、減衰させることができる。シミュレーションにおける摩擦項に対応するパラメータは、ドキュメントをバーチャル境界と接触して平衡状態に到達させるか又はバーチャル境界から変位させるように、調整することができる。
【手続補正４】
【補正対象書類名】明細書
【補正対象項目名】０１１７
【補正方法】変更
【補正の内容】
【０１１７】
タッチスクリーンディスプレイ上又はその付近でオブジェクトがもはや検出されなくなった後に、アイテムのリストは、第１方向とは逆の第２方向にスクロールされ、やがて、リストの末端を越えるエリアがもはや表示されなくなる（５２０）。ある実施形態では、リストは、減衰運動を使用して第２方向にスクロールされる（５２２）。ある実施形態では、リストを第１方向にスクロールすることから、リストの末端を越えるエリアがもはや表示されなくなるまでリストを第２方向にスクロールすることへの切り換えは、リストの末端が、タッチスクリーンディスプレイの縁又はタッチスクリーンディスプレイに表示される縁に弾性的に取り付けられているような表示により行う（５２４）。
【手続補正５】
【補正対象書類名】明細書
【補正対象項目名】０１１８
【補正方法】変更
【補正の内容】
【０１１８】
ある実施形態では、リストの末端に到達するまでの第１方向のスクロールは、リストの末端に到達するまでのオブジェクトの移動距離に対応する第１の関連スクロール距離を有する。例えば、図６Ａ−６Ｄに示すリストの末端に到達するまでのスクロール距離は、末端に到達するまでにスワイプジェスチャー３５１４によりタッチスクリーンディスプレイ上を横断した距離に対応する。リストの末端を越えるエリアを表示することは、末端に到達した後にオブジェクトの移動距離に対応する関連スクロール距離より短い第２の関連スクロール距離だけリストを第１方向にスクロールすることを含む。例えば、図６Ｃにおいて、末端に到達した後に、リストは、距離３５３８に対してスクロールされ、この距離は、末端に到達した後にスワイプジェスチャー３５１４によりタッチスクリーンディスプレイ上を横断する距離よりも短い。
【手続補正６】
【補正対象書類名】明細書
【補正対象項目名】０１３３
【補正方法】変更
【補正の内容】
【０１３３】
タッチスクリーンディスプレイ上又はその付近でオブジェクトがもはや検出されなくなった後に、電子ドキュメントの縁を越えるエリアがもはや表示されなくなるまで電子ドキュメントが第２方向に並進移動される（７２０）。例えば、図８Ｄにおいて、ウェブページ３９１２は、その縁を越えるエリア３９３０がもはや表示されなくなるように並進移動される。ある実施形態では、第２方向は、第１方向と逆である。ある実施形態では、電子ドキュメントは、減衰運動を使用して第２方向に並進移動される（７２２）。ある実施形態では、電子ドキュメントを第１方向に並進移動することから、電子ドキュメントの縁を越えるエリアがもはや表示されなくなるまで電子ドキュメントを第２方向に並進移動することへの切り換えは、電子ドキュメントの縁が、タッチスクリーンディスプレイの縁又はタッチスクリーンディスプレイに表示される縁に弾性的に取り付けられているような表示により行う（７２４）。
【手続補正７】
【補正対象書類名】明細書
【補正対象項目名】０１３４
【補正方法】変更
【補正の内容】
【０１３４】
ある実施形態では、電子ドキュメントの縁に到達するまで第１方向に並進移動することは、電子ドキュメントの縁に到達するまでのオブジェクトの移動距離に対応する第１の関連並進移動距離を有する。例えば、ドキュメントの縁に到達するまでの図８Ａ−８Ｄに示すウェブページ３９１２の並進移動距離は、縁に到達するまでにスワイプジェスチャー３９２５によりタッチスクリーンディスプレイ上を横断する距離に対応する。ある実施形態では、電子ドキュメントの縁を越えるエリアを表示することは、電子ドキュメントを第１方向に第２の関連並進移動距離に対して並進移動することを含み、ここで、第２の関連並進移動距離は、電子ドキュメントの縁に到達した後のオブジェクトの移動距離に対応する関連並進移動距離より短い。例えば、図８Ｃにおいて、縁に到達した後に、ウェブ３９１２は、対向する矢印３９２８−１及び３９２８−２で指示された距離だけ並進移動され、この距離は、末端に到達した後にスワイプジェスチャー３９２５によってタッチスクリーンディスプレイ上を横断する距離より短い。